【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
生体サンプルを感知するためのカートリッジであって：
ハウジング；
センサーのアレイを中に統合する半導体チップ；
間にギャップを形成するためにチップから離れて配置されるシーリングブロック；
サンプルを受け取るため一面で開放するウェルのアレイ
を含み、
ここで、シーリングブロックとチップは、非シーリング位置とシーリング位置との間を互いに対して動くように配置され、それにより互いからウェルを分離するようギャップを閉じる
ことを特徴とする、カートリッジ。
【請求項２】
カートリッジが外部装置から取り除かれるとともに、シーリングブロックをシーリング位置へと促すように配置されるアクチュエーターを更に含む、請求項１に記載のカートリッジ。
【請求項３】
ウェルに露出可能な電極のアレイを更に含む、請求項１に記載のカートリッジ。
【請求項４】
シーリングブロックを、非シーリング位置にある半導体チップから離れて置くための付勢手段を更に含む、請求項２に記載のカートリッジ。
【請求項５】
半導体チップに接続されたヒートシンクを更に含む、請求項１に記載のカートリッジ。
【請求項６】
流体サンプルを受け取るために、ハウジング中にポートを更に含む、請求項１に記載のカートリッジ。
【請求項７】
気流を受け取り、気流を半導体チップ及び／又はヒートシンクに向けるための、ハウジング中のポートを更に含む、請求項１に記載のカートリッジ。
【請求項８】
外部装置にカートリッジを接続するための機械的コネクタを更に含む、請求項１に記載のカートリッジ。
【請求項９】
外部回路に半導体チップを接続するための電気的コネクタ（８３）を更に含む、請求項１に記載のカートリッジ。
【請求項１０】
ギャップは、センサーにわたって流体を保持するための毛管力を提供するように設けられる、ことを特徴とする請求項１に記載のカートリッジ。
【請求項１１】
過剰流体を含むために少なくとも半導体チップの一部を囲む、柔軟な裾部を更に含む、請求項１に記載のカートリッジ。
【請求項１２】
ウェルのアレイは、平面基板の開口部により設けられ得、好ましくは、前記基板はプリント回路基板（ＰＣＢ）、より好ましくは柔軟なＰＣＢを含む、ことを特徴とする請求項１に記載のカートリッジ。
【請求項１３】
ウェルの表面を覆う湿潤剤を更に含む、請求項１に記載のカートリッジ。
【請求項１４】
各ウェルは、溶融性物質により覆われる又は該物質の中に固定される試薬を更に含み、該物質はワックスである、ことを特徴とする請求項１に記載のカートリッジ。
【請求項１５】
溶融性物質に加熱手段を提供する／該物質を加熱するためのヒーターを更に含む、請求項１に記載のカートリッジ。
【請求項１６】
温度センサーを更に含む、請求項１に記載のカートリッジ。
【請求項１７】
ヒーターと温度センサーに繋がれたコントローラーを更に含む、請求項１に記載のカートリッジ。
【請求項１８】
生体サンプルを感知する方法であって：
請求項１乃至１７の何れかに記載の感知カートリッジに係合したサンプル調製デバイスを提供する工程；
流体サンプルを感知カートリッジに分配するためにサンプル調製デバイスを操作する工程；及び
感知カートリッジをサンプル調製デバイスから取り外す工程であって、その作用の間、シーリングブロック及びチップが、非シーリング位置とシーリング位置との間で互いに対して移動し、それにより互いからウェルを分離するようにギャップを閉じる、工程
を含む、方法。
【請求項１９】
センサーからシグナルを受け取り且つサンプルの特性を決定するためのアナライザーに感知カートリッジを差し込む工程を更に含む、請求項１８に記載の方法。
【請求項２０】
流体混合デバイスであって：
ａ）開口側部を有するチャンネル（６２）及びｂ）流体ポート（２７、５３）を画成する土台であって、ここで、ポートはダム（６７、６１）によってチャンネルから分離される、土台；及び
チャンネルの開口側部とポートを覆う土台に付けられる膜
を含む、流体混合デバイス。
【請求項２１】
膜の一部は、ポートからの流体がダムをわたってチャンネルに流れることを可能にするために、ポートに対する水圧下で土台から離れて動くように配置される、ことを特徴とする請求項２０に記載の流体混合デバイス。
【請求項２２】
ダムはポートを囲み、空隙（６６）はダムを囲む、ことを特徴とする請求項２０に記載の流体混合デバイス。
【請求項２３】
ポートとチャンネルの間で流体連通するリザーバを更に含み、ここで、リザーバ、及びリザーバからチャンネルへの出口は、流体が出る前に、リザーバ中に空気ポケットが作られることなく、リザーバを満たすように構成される、ことを特徴とする請求項２０又は２１に記載の流体混合デバイス。
【請求項２４】
土台に統合され、一端において流体ポートに接続され、且つ他端でプランジャーを受け取るように適用される、シリンダーを更に含む、請求項２０乃至２３の何れか１つに記載の流体混合デバイス。
【請求項２５】
生体サンプル調製デバイスであって：
ハウジング；
ハウジング内にある複数の流体ディスペンサー；
ハウジングに繋げられ且つハウジングに対して移動可能な、ユーザーにより作動された部材；及び
サンプルと試薬を混合するために、部材の動きを、流体ディスペンサーの連続且つ同時の動きの予め設定した組み合わせに変換するための機構
を含む、生体サンプル調製デバイス。
【請求項２６】
生体サンプル調製デバイスであって：
少なくとも２つの流体ディスペンサー；
流体ディスペンサーを、受け取りチャンバに接続する微小流体チャンネル
を含み、
ここで、流体ディスペンサーは、流体チャンネルをほぼ同時に通って、受け取りチャンバへ流すために流体を分配するように配置される
ことを特徴とする、生体サンプル調製デバイス。
【請求項２７】
生体液サンプルを抽出するためのデバイスであって：
第１構成部品であって、該部品は、ハンドルと、圧縮されていない状態で流体を吸収するためにハンドルの端部にある綿棒とを有する、第１構成部品；及び
第２構成部品であって、該部品は、綿棒を受け取るための開口部と、圧縮状態で綿棒を圧縮するために綿棒に干渉するよう配置されるチャンバとを有する、第２構成部品
を含む、デバイス。
【請求項２８】
生体液サンプルを抽出するためのデバイスであって：
ハンドル；
流体を吸収するためのハンドルの端部にある綿棒；及び
綿棒を圧縮するためハンドルに沿って摺動するよう配置されるカラー
を含む、デバイス。
【請求項２９】
サンプルの生物学的特性を感知する方法であって：
サンプルを含む流体を微小流体容器に提供する工程であって、各容器は、センサーと、物質により覆われる又は物質の中に固定される試薬とを有する、工程；
サンプルと反応させるために試薬を制御自在に放つため物質を溶かす工程；
サンプルの特性を決定するために、試薬と、各容器におけるセンサーからの出力シグナルとを相互に関連付ける工程
を含む、方法。
【請求項３０】
サンプルの生物学的特性を感知するためのカートリッジであって：
ハウジング；
センサーのアレイを中に統合する半導体チップ；
サンプルを受け取るための微小流体ウェルのアレイ；
各ウェルにある物質によって覆われる又はその中に固定される試薬；及び
物質に熱を提供するように構成されるヒーター
を含む、カートリッジ。
【請求項３１】
生体反応のための微小流体デバイスであって、該デバイスはラミネート構造を有し、且つ該デバイスは：
平面基板；
平面基板の主要表面に堆積された伝導性トラック；
伝導性トラック及び平面基板を覆う絶縁層；及び
１以上の微小流体容器を提供するためのラミネート構造を通過する１以上の開口部
を含み、
ここで、トラックは、電極を提供するために、一端のみにて各微小流体容器へと露出される
ことを特徴とする、微小流体デバイス。
【請求項３２】
微小流体デバイスを製造する方法であって：
ａ．平面基板を提供する工程；
ｂ．基板に伝導性トラックの第１セットを置く工程；
ｃ．等角の絶縁層でトラックと基板を覆う工程；
ｄ．伝導性トラックの縁部にのみ露出される開口部を形成するために工程（ａ）乃至（ｃ）によって提供される層を切断する工程
を含む、方法。